(57)【要約】【課題】二つの接合具それぞれの穴に接合用金属棒を出し入れして接合脱着するとき、片手ワンタッチで安全完全に脱着できて、同時に脱着や移動時等に接合用金属棒等の紛失防止ができている接合脱着装置を提供する。【解決手段】二つの接合具それぞれの穴に接合用金属棒を出し入れしての接合脱着装置を、一方の接合具上に設置する。このとき、接合用金属棒は円筒形の筒内に収め、接合用金属棒から出した押しボタンにバネ等を、常に接合用金属棒が抜ける方向の力が働くようにセットし、押しボタンは、ガイドの溝に沿って片手親指一本で移動させ、固定溝で安全固定することができる装置を追加する。この装置は、同様に逆操作して簡単にセットを外すことができ、脱着は片手で極めて確実簡単にできる。また、同時に外している時にも接合用金属棒はバネ等で円筒内の一端に保持され紛失防止の役目も果たしている。【選択図】図２
0003123022.tif 000002
【実用新案登録請求の範囲】
【請求項１】
二つの接合具それぞれの穴に金属棒を出し入れしての接合脱着装置を、一方の接合具上に設置する。このとき、接合用金属棒は円筒形の筒内に収め、接合用金属棒から出した押しボタンにバネ等を、常に接合用金属棒が抜ける方向の力が働くようにセットし、押しボタンは、ガイドの溝に沿って片手親指一本で移動させ、固定溝で安全固定することができる装置を追加する。この装置は、同様に逆操作して簡単にセットを外すことができ、脱着は片手で安全確実に簡単にできる。また、同時に外している時にも接合用金属棒はバネ等で円筒内の一端に保持され紛失防止の役目も果たしている。この構造の接合脱着装置
【考案の詳細な説明】
【技術分野】
【０００１】  本考案は、二つの接合具の接合脱着装置である。
【背景技術】
【０００２】  林業用で図１に示したように、椅子とワイヤーを二つの接合脱着装置で幹を抱いて接合したものと、足載せ台とワイヤーを二つの接合脱着装置で幹を抱いて接合したものの二つを使って、尺取虫のようにして直幹樹木を登り降りする枝打ち用登降機（以下登降機という。）がある。接合脱着装置は、椅子等に繋がっている筒に接合用金属棒を通す穴を数個あけた筒型接合具と、ワイヤーに繋がっている接合用金属棒を通す穴を一つあけたカバー筒接合具及び接合用金属棒と安全ピンから成っている。この接合脱着装置が椅子の左右両側に二組、足載せ台の左右両側に二組、合計登降機に四組付いている。普通左側の上下二組は筒型接合具の中央の穴にカバー筒接合具を固定し、右側上下二組の接合具を幹の太さに合わせて脱着するが、特に太い又は細い木の場合は４組とも脱着しなければならない。【０００３】  右側二組だけの普通の脱着の場合について説明する。先ず、接合を解く時は、椅子と足載せ台を右脇に抱え右膝に乗せた状態で、両手を幹の右側に伸ばし、右手で安全ピンを外し、左手で接合用金属棒を抜き、ワイヤーに接続しているカバー筒接合具を抜き、接合を解いた後、そのカバー筒の穴に接合用金属棒を通して安全ピンを刺す。残りのもう一組も同じ操作をして、次に、左手を幹の左側にまわし二つのワイヤーを持ちワイヤーを幹から外して、右手で椅子と足載せ台を抱えて移動する。このとき、カバー筒に接合用金属棒をセットしないで移動すると、接合用金属棒は糸でワイヤーに繋いであるが、糸が潅木などに当たり切れて一日ともたず紛失してしまう。また、２本の安全ピンはポケットに出し入れしなければならず大変面倒である。【０００４】  移動後に右手で椅子と足載せ台を抱え右膝に乗せた状態で、左手で二つのワイヤーを持ち幹に抱かせ、ワイヤーの先についている二つのカバー筒接合具を右手で捕らえ、左手も幹の右側に伸ばしてカバー筒接合具を握り、右手で安全ピンを外し左手で接合用金属棒を抜く。カバー筒接合具を筒型接合具に被せ幹の太さに合った穴で接合用金属棒を通して安全ピンを刺しセットする。同様にもう一組の接合脱着装置をセットして、セットが完了する。【０００５】  以上の説明のとおり、移動に伴う接合具の脱着に大変手間と時間がかかり煩雑で、本来の枝打ち作業以外の所で心身共に疲れてしまう。安全ピンを穴に差し込むだけでも面倒なのに（斜め上方から穴が見えないことが多い。）、林全体の一、二割は特に太いか又は細い木があり、これらは四組とも脱着しなければならず、とにかく面倒この上ない状態である。
【考案の開示】
【考案が解決しようとする課題】
【０００６】  二つの接合具それぞれの穴に接合用金属棒を出し入れして接合脱着するとき、片手ワンタッチで安全確実に脱着できて、同時に脱着や移動時等に接合用金属棒等の紛失防止ができている接合脱着装置を提供する。
【考案の効果】
【０００７】  本考案は、登降機等の脱着が片手で短時間に確実容易にでき、接合用金属棒等の紛失が防止されるだけでなく、次の効用もある。腰高直径が２５センチ程度以上の場合、高い所で直径が小さくなりワイヤーが緩み椅子が上向きになって作業が困難になる。このとき登る途中で、左肩と左頬で幹を保持しながら、足載せ台に立ち、椅子接合具組をフリーにして左手でこれを保持し、右手で椅子とワイヤーの輪を小さくし、そこの太さに合った位置にセットしなおして椅子を水平にする。このとき安全のために命綱は短めにしておく。これにより、現在使用可能限度が腰高直径最大３０センチ程度の登降機を、筒形接合具の筒とワイヤーを長くして５０センチ程度まで使用可能にできる。
【考案を実施するための最良の形態】
【０００８】  二つの接合具それぞれの穴に接合用金属棒を出し入れしての接合脱着装置を、一方の接合具上に設置する。このとき、接合用金属棒は円筒形の筒内に収め、接合用金属棒から出した押しボタンにバネ等を、常に接合用金属棒が抜ける方向の力が働くようにセットし、押しボタンは、ガイドの溝に沿って片手親指一本で移動させ、固定溝で安全固定することができる装置を追加する。この装置は、同様に逆操作して簡単にセットを外すことができ、脱着は片手で極めて確実簡単にできる。また、同時に外している時にも接合用金属棒はバネ等で円筒内の一端に保持され紛失防止の役目も果たしている。
【実施例】
【０００９】  以下、添付図面の図２に従って一実施例を説明する。図２は筒形接合具にカバー筒接合具を被せ、幹の太さにあったところで１３の覗き穴で、筒形接合具の穴と接合用金属棒の先端部の位置を確認し、１１の押しボタンを親指で下に押し下げ、１２の固定溝に押しボタンを掛ける。【００１０】セットを解除する時は、押しボタンを右手親指で下に押し下げ、１２の固定溝から押しボタンを外に出し親指を外す。このとき接合用金属棒は、８のバネ等で円筒上部に保持される。右手でカバー筒接合具を外し、左手で二つのワイヤーを持ち、ワイヤーを幹から外して右手で椅子と足載せ台を抱えて移動する。【００１１】  前二項のとおり、脱着は非常に簡単であり、同時に移動時等の金属棒の保全もできている。
【産業上の利用可能性】
【００１２】  この装置で、［０００７］項の後半の木に登る途中で結合位置の変更ができ、大径木にも使用可能な登降機ができる。また、常識では考えられないだろうが、山林作業では３０センチくらいの鋸でさえ、いくら探しても見つからないことがよくある。その紛失防止策の一例として図３の滑車に本考案の装置を付けたものを示した。接合用金属棒の保全は万全で、脱着もほとんどワンッタチでできる。作業中に度々ワイヤーの付け替えをする滑車では、この装置を付けたものが便利だ。その他、同様に作業中度々脱着する機具に本考案の脱着装置を付けることをお薦めしたい。
【図面の簡単な説明】
【００１３】
【図１】従来形の椅子とワイヤーを二つの接合脱着装置で幹を抱いて接合させる接合脱着装置図である。
【図２】接合具に本考案の接合脱着装置を取り付けた図である。
【図３】滑車に本考案の接合脱着装置を取り付けた図である。
【符号の説明】
【００１４】１    従来型の接合脱着装置
２    ワイヤーをゴムでカバーした帯び
３    ワイヤーをカバー筒接合具に固定する金属棒
４    ワイヤーと接合用金属棒を繋ぐ糸
５    接合用金属棒
６    安全ピン用の穴
７    安全ピン
８    バネ又はゴムひも
９    滑車
１０  押しボタンの付いた接合用金属棒
１１  接合用金属棒に付けた押しボタン
１２  押しボタンと結合用金属棒を接合状態位置に固定する溝
１３  筒形接合具の穴と接合用金属棒の先端部の位置を確認する覗き穴
１４  ワイヤー押さえバー
【図１】
0003123022.tif 000003
【図２】
0003123022.tif 000004
【図３】
0003123022.tif 000005
【手続補正書】
【提出日】平成18年3月29日(2006.3.29)
【手続補正１】
【補正対象書類名】実用新案登録請求の範囲
【補正対象項目名】請求項１
【補正方法】変更
【補正の内容】
【請求項１】
二つの接合具の接合用の穴を重ね、その穴に金属棒を出し入れしての接合脱着装置の一方の接合具上に、接合用金属棒は円筒形の筒内に収め、接合用金属棒から出した押しボタンにバネ等を、常に接合用金属棒が抜ける方向の力が働くようにセットし、押しボタンは、ガイドの溝に沿って片手親指一本で操作し、固定溝で接合用金属棒の安全固定と脱着ができ、同時に接合用金属棒は常に円筒内に保持され紛失防止の役目も果たしているという構造を有する接合脱着装置